(57)【要約】【課題】昇圧動作時であっても、適切に動作可能な絶縁状態検出装置を実現する技術を提供する。【解決手段】地絡センサ１１は、フライングキャパシタＣ１と、フライングキャパシタＣ１の両極を高圧直流電源Ｂの正極及び負極にそれぞれ選択的に接続する第１及び第２のスイッチＳＷ１、ＳＷ２と、フライングキャパシタＣ１の両極を制御部（マイクロコンピュータ）１５及び接地電位部に選択的に接続する第３及び第４のスイッチＳＷ３、ＳＷ４と、電流方向選択回路３０と、第１及び第２のスイッチＳＷ１、ＳＷ２より上流側の高圧選択回路２０とを有している。高圧選択回路２０は、１次及び２次選択ダイオードが並列に配置され、両カソード側が接続され、第１のスイッチＳＷ１に繋がる。一方、１次選択ダイオードのアノードは１次側高圧正極に接続される。また、２次選択ダイオードのアノードは、昇圧器３の２次側高圧正極に接続される。【選択図】図１
2015001423.tif 000002
【特許請求の範囲】
【請求項１】
接地電位部から絶縁された直流電源により地絡抵抗に応じた電圧で充電されるフライングキャパシタと、前記直流電源により充電された後に前記直流電源から絶縁された前記フライングキャパシタを、前記フライングキャパシタの充電電圧を計測する計測手段と前記接地電位部との間に直列接続する計測回路とを備え、前記直流電源の正電位を昇圧して負荷に供給する昇圧電源回路の１次側に接続されて、前記計測手段による前記フライングキャパシタの充電電圧の計測結果に基づき、前記昇圧電源回路の絶縁状態を検出する絶縁状態検出装置であって、
前記１次側の正極と２次側の正極に別経路で接続され直流電流を前記フライングキャパシタへ導く回路を構成する高圧選択回路を備え、
前記高圧選択回路は、前記１次側の正極に接続され少なくとも昇圧動作時に前記１次側の正極への電流が流れないように機能する１次選択部と、前記２次側の正極に接続される２次選択部とを有していることを特徴とする絶縁状態検出装置。
【請求項２】
前記１次選択部及び前記２次選択部は、前記１次側の正極及び前記２次側の正極から電流を流し、前記高圧選択回路から前記１次側の正極及び前記２次側の正極へ電流を流さないように接続される整流手段であることを特徴とする請求項１に記載の絶縁状態検出装置。
【請求項３】
前記１次選択部及び前記２次選択部は、オンオフ制御されるスイッチング手段であって、昇圧動作時に前記１次選択部はオフに制御されることを特徴とする請求項１に記載の絶縁状態検出装置。
【発明の詳細な説明】
【技術分野】
【０００１】
本発明は、フライングキャパシタへの充電状態に基づき接地電位に対する地絡や絶縁状態を検出する絶縁状態検出装置に関する。
【背景技術】
【０００２】
電気自動車やＰＨＶ（プラグインハイブリット自動車）が実用化され様々な車種が市場に投入されるようになっている。このような車両においては、動力源として電力が利用される。その場合、例えば２００Ｖに高圧化された直流電源を車体から絶縁する必要がある。そして、このような直流電源の接地電位部に対する地絡や絶縁状態を検出する絶縁状態検出装置が重要な役割を果たすことになる。この種の絶縁状態検出装置として、直流電源により充電されるフライングキャパシタを用いた装置が知られている。この絶縁状態検出装置は、直流電源の正電位や負電位によりフライングキャパシタを充電し、その充電電圧をマイクロコンピュータ等で計測することで、正側や負側の地絡抵抗又は絶縁状態を検出する。
【０００３】
ところで、上述したように推進用エネルギーとして電力を利用する車両においては、負荷の駆動効率を高めるために、直流電源の正電位を昇圧して負荷に供給する場合がある。そのような場合には、昇圧前の１次側と昇圧後の２次側とのそれぞれについて、接地電位部に対する地絡や絶縁状態を検出する必要がある。
【０００４】
また、この場合、部品の耐圧や高圧バッテリの電圧検知バックアップ等を考慮すると、１次側に地絡センサを配置することが望ましい。そして昇圧された２次側の電圧及び地絡抵抗値によっては２次側からの異常な電位の回り込みが発生してしまうことがあり、各種の対策技術が提案されている。例えば、昇圧中は地絡計測動作を停止する制御を行う技術がある（例えば特許文献１参照）。また、１次側設置の構成において、負電位計測回路を設け、接地電位部から絶縁された直流電源の正電位を昇圧した２次側の正電位と地絡抵抗との関係に起因して、直流電源の正電位による充電時にフライングキャパシタが２次側の正電位により逆極性で充電されても、フライングキャパシタの充電電圧を計測手段により計測することを可能にした技術もある（例えば特許文献２参照）。
【先行技術文献】
【特許文献】
【０００５】
【特許文献１】特開２０１０−２３９８２２号公報
【特許文献２】特開２０１１−０１７５８６号公報
【発明の概要】
【発明が解決しようとする課題】
【０００６】
ところで、特許文献１に開示の技術では、計測動作が一時的に停止する期間が生じてしまうことから、計測を行える期間に制限ができてしまうという課題があった。また、特許文献２に開示の技術では、追加回路が大がかりになってしまう傾向があり、また、対応するためのアプリケーション（ソフト）の設計負担が大きく、別の技術が求められていた。
【０００７】
本発明の目的は、このような状況に鑑みてなされたものであり、上記課題を解決する技術を提供することにある。
【課題を解決するための手段】
【０００８】
本発明は、接地電位部から絶縁された直流電源により地絡抵抗に応じた電圧で充電されるフライングキャパシタと、前記直流電源により充電された後に前記直流電源から絶縁された前記フライングキャパシタを、前記フライングキャパシタの充電電圧を計測する計測手段と前記接地電位部との間に直列接続する計測回路とを備え、前記直流電源の正電位を昇圧して負荷に供給する昇圧電源回路の１次側に接続されて、前記計測手段による前記フライングキャパシタの充電電圧の計測結果に基づき、前記昇圧電源回路の絶縁状態を検出する絶縁状態検出装置であって、前記一次側の正極と前記２次側の正極に別経路で接続され直流電流を前記フライングキャパシタへ導く回路を構成する高圧選択回路を備え、前記高圧選択回路は、前記１次側の正極に接続され少なくとも昇圧動作時に前記１次側の正極への電流が流れないように機能する１次選択部と、前記２次側の正極に接続される２次選択部とを有している。
また、前記１次選択部及び前記２次選択部は、前記１次側の正極及び前記２次側の正極から電流を流し、前記高圧選択回路から前記１次側の正極及び前記２次側の正極へ電流を流さないように接続される整流手段であってもよい。
また、前記１次選択部及び前記２次選択部は、オンオフ制御されるスイッチング手段であって、昇圧動作時に前記１次選択部はオフに制御されてもよい。
【発明の効果】
【０００９】
本発明によれば、昇圧動作時であっても、適切に動作可能な絶縁状態検出装置を実現することができる。
【図面の簡単な説明】
【００１０】
【図１】発明の実施形態に係る、地絡センサを備える昇圧電源回路の図である。
【図２】発明の実施形態に係る、高圧選択回路の図である。
【図３】発明の実施形態に係る、昇圧器が停止時の第１の充電状態を示す昇圧電源回路の図である。
【図４】発明の実施形態に係る、昇圧器が停止時の第２の充電状態を示す昇圧電源回路の図である。
【図５】発明の実施形態に係る、昇圧器が停止時の第３の充電状態を示す昇圧電源回路の図である。
【図６】発明の実施形態に係る、昇圧器が動作時の第１の充電状態を示す昇圧電源回路の図である。
【図７】発明の実施形態に係る、昇圧器が動作時の第２の充電状態を示す昇圧電源回路の図である。
【図８】発明の実施形態に係る、昇圧器が動作時の第３の充電状態を示す昇圧電源回路の図である。
【図９】発明の実施形態に係る、高圧選択回路を備えない地絡センサを備える昇圧電源回路において電圧の異常回り込みを説明する図である。
【図１０】発明の実施形態に係る、高圧選択回路の変形例の図である。
【発明を実施するための形態】
【００１１】
以下、発明を実施するための形態（以下、「実施形態」という）を、図面を参照しつつ説明する。
【００１２】
図１は本実施形態に係る地絡センサ１１を絶縁状態検出装置として用いた昇圧電源回路１の回路図である。図示のように、昇圧電源回路１は、接地電位部から絶縁された１次側の高圧直流電源Ｂの正電位を、昇圧器３により昇圧して２次側の負荷５に供給する。昇圧電源回路１の地絡や絶縁状態は、高圧直流電源Ｂの正極及び負極の間に接続された地絡センサ１１によって検出される。
【００１３】
なお、図中の符号ＲＬｐは１次側の正側の地絡抵抗（１次側＋地絡抵抗）、符号ＲＬｎは１次側の負側の地絡抵抗（１次側−地絡抵抗）、符号ＲＬｐ２は２次側の正側の地絡抵抗（２次側＋地絡抵抗）、符号ＲＬｎ２は２次側の負側の地絡抵抗（２次側−地絡抵抗）をそれぞれ示す。
【００１４】
地絡センサ１１は、両極性のフライングキャパシタＣ１と、フライングキャパシタＣ１の両極を高圧直流電源Ｂの正極及び負極にそれぞれ選択的に接続する第１及び第２のスイッチＳＷ１、ＳＷ２と、フライングキャパシタＣ１の両極を制御部（マイクロコンピュータ）１５及び接地電位部に選択的に接続する第３及び第４のスイッチＳＷ３、ＳＷ４と、電流方向選択回路３０と、第１及び第２のスイッチＳＷ１、ＳＷ２より上流側（高圧直流電源Ｂの正極側）の高圧選択回路２０とを有している。
【００１５】
なお、本実施形態の地絡センサ１１の基本的な計測原理は一般的な計測原理と同一であるので、以下の説明では、本実施形態において特徴的な点に着目して説明し、一般的な原理等は適宜説明を省略する。また、地絡センサ１１において、放電のためにフライングキャパシタＣ１の両極を抵抗を介して短絡させるスイッチを設けたり、もしくは一方の極（図中上方の極）と後述の第４のスイッチＳＷ４を同時オンで放電する制御がなされてもよい。
【００１６】
制御部１５は、マイコンで構成され計測装置として機能し、また、高圧直流電源Ｂよりも低い低圧系の所定の電源（図示せず）によって動作する。高圧直流電源Ｂは制御部１５の接地電位部からも絶縁されている。第１〜第４のスイッチＳＷ１〜ＳＷ４は、例えば光ＭＯＳＦＥＴで構成されており、高圧直流電源Ｂから絶縁して制御部１５によりオンオフ制御される。また、第５のスイッチＳＷ５は、地絡センサ１１へ高圧電源を供給するためのパワーリレー回路である。
【００１７】
制御部１５と第３のスイッチＳＷ３との接続点は、第３の抵抗Ｒ３を介して接地されている。第４のスイッチＳＷ４と接地電位部との間には、第４の抵抗Ｒ４が接続されている。フライングキャパシタＣ１の一端側の第１及び第３のスイッチＳＷ１、ＳＷ３は直列接続されており、両者の接続点Ｔ１とフライングキャパシタＣ１の一端との間には、電流方向切替回路３０が接続されている。
【００１８】
電流方向切替回路３０は並列回路であり、その一方は、第１及び第３のスイッチＳＷ１、ＳＷ３からフライングキャパシタＣ１の一端に向けて順方向となるダイオードＤ０と第１の抵抗Ｒ１の直列回路で構成され、他方は、フライングキャパシタＣ１の一端から第１及び第３のスイッチＳＷ１、ＳＷ３に向けて順方向となるダイオードＤ１と第２の抵抗Ｒ２の直列回路で構成されている。
【００１９】
また、高圧選択回路２０は、第１のスイッチＳＷ１より上流側に配置されており、上流側の接続として、第５のスイッチＳＷ５及び２次側高圧正極に接続されている。また、高圧選択回路２０は、下流側接続として、第１のスイッチＳＷ１に接続される。
【００２０】
高圧選択回路２０の具体的な構成は、図２に示すように、二つのダイオードとして１次及び２次選択ダイオードＤ２１、Ｄ２２が並列に配置され、両カソード側が接続され、第１のスイッチＳＷ１に繋がる。一方、ダイオードＤ２１のアノードは、１次側高圧正極（第５のスイッチＳＷ５）に接続される。また、第２選択ダイオードＤ２２のアノードは、昇圧器３の２次側高圧正極に接続される。したがって、地絡センサ１１から１次側及び２次側高圧正極に電流が流れることはない。
【００２１】
以上の構成による地絡や絶縁状態を検出する動作及び処理について図３〜図８を参照して説明する。まず、図３〜図５を参照して昇圧器３が停止している場合について説明する。
【００２２】
図３に示す第１の充電状態（昇圧器３停止時）の昇圧電源回路１では、地絡や絶縁状態を検出するために、まず、制御部１５は、第１及び第２スイッチＳＷ１、ＳＷ２をオンさせると共に第３及び第４のスイッチＳＷ３、ＳＷ４をオフさせる。これにより、高圧直流電源Ｂの正極から、高圧選択回路２０（１次選択ダイオードＤ２１）、第１のスイッチＳＷ１、ダイオードＤ０、第１の抵抗Ｒ１、フライングキャパシタＣ１の一端、他端、及び、第２のスイッチＳＷ２を経て、高圧直流電源Ｂの負極に至る充電回路が形成される。
【００２３】
そして、この充電回路において、フライングキャパシタＣ１は高圧直流電源Ｂの電圧に応じた電荷量を充電する。この充電により、フライングキャパシタＣ１の一端が正極、他端が負極となる。
【００２４】
つづいて、制御部１５は、第１及び第２スイッチＳＷ１、ＳＷ２をオフさせると共に第３及び第４のスイッチＳＷ３、ＳＷ４をオンさせる。これにより、フライングキャパシタＣ１が、第２の抵抗Ｒ２、第３の抵抗Ｒ３、及び、第４の抵抗Ｒ４の直列回路と並列接続される。そして、フライングキャパシタＣ１の充電電圧を第２、第３及び第４の抵抗Ｒ２、Ｒ３、Ｒ４で分圧したうちの第３の抵抗Ｒ３の両端電圧の差に相当する電位が、制御部１５の所定のＡ／Ｄ変換ポートに入力されて計測される。制御部１５は、この計測値と、第２、第３及び第４の抵抗Ｒ２、Ｒ３、Ｒ４の分圧比とから、フライングキャパシタＣ１の充電電圧を計測する。したがって、本実施形態では、ダイオードＤ１、第２の抵抗Ｒ２、第３のスイッチＳＷ３、第３の抵抗Ｒ３、第４のスイッチＳＷ４、及び、第４の抵抗Ｒ４によって、計測回路が形成される。
【００２５】
そして、制御部１５は、放電回路を形成しフライングキャパシタＣ１を放電させる。具体的には、制御部１５は、例えば、フライングキャパシタＣ１の一端（正極）と接地電位部との間に設けられる所定のスイッチ（図示せず）と第４のスイッチＳＷ４とを同時にオンすることで放電を行ったり、第３のスイッチＳＷ３と第４のスイッチＳＷ４を同時にオンし続けることで放電を行う。
【００２６】
つぎに、図４に示す第２の充電状態（昇圧器３停止時）の昇圧電源回路１になるように、制御部１５は、第１及び第４のスイッチＳＷ１、ＳＷ４をオンさせると共に第２及び第３のスイッチＳＷ２、ＳＷ３をオフさせる。これにより、高圧直流電源Ｂの正極から、高圧選択回路２０（１次選択ダイオードＤ２１）、第１のスイッチＳＷ１、ダイオードＤ０、第１の抵抗Ｒ１、フライングキャパシタＣ１の一端、他端、第４のスイッチＳＷ４、第４の抵抗Ｒ４、（接地電位部）、及び、負側の地絡抵抗ＲＬｎを経て、高圧直流電源Ｂの負極に至る充電回路を形成する。
【００２７】
そして、この充電回路において、フライングキャパシタＣ１を負側の地絡抵抗ＲＬｎに応じた電荷量で充電する。この充電により、フライングキャパシタＣ１の一端が正極、他端が負極となる。
【００２８】
つづいて、制御部１５は、第１及び第２のスイッチＳＷ１、ＳＷ２をオフさせると共に第３及び第４のスイッチＳＷ３、ＳＷ４をオンさせて、高圧直流電源Ｂの電圧に応じたフライングキャパシタＣ１の充電電圧の計測の際と同じ計測回路を形成する。そして、制御部１５は、この計測回路を用いて、フライングキャパシタＣ１の充電電圧を計測する。
【００２９】
そして、計測が完了すると、制御部１５は、上述同様に放電回路を形成してフライングキャパシタＣ１を放電させる。
【００３０】
つぎに、図５に示す第３の充電状態（昇圧器３停止時）の昇圧電源回路１になるように、制御部１５は、第２及び第３のスイッチＳＷ２、ＳＷ３をオンさせると共に第１及び第４のスイッチＳＷ１、ＳＷ４をオフさせる。これにより、高圧直流電源Ｂの正極から、正側の地絡抵抗ＲＬｐ、（接地電位部）、第３の抵抗Ｒ３、第３のスイッチＳＷ３、ダイオードＤ０、第１の抵抗Ｒ１、フライングキャパシタＣ１の一端、他端、及び、第２のスイッチＳＷ２を経て、高圧直流電源Ｂの負極に至る充電回路が形成される。そして、この充電回路において、フライングキャパシタＣ１を正側の地絡抵抗ＲＬｐに応じた電荷量で充電する。この充電により、フライングキャパシタＣ１の一端が正極、他端が負極となる。
【００３１】
つづいて、制御部１５は、第１及び第２のスイッチＳＷ１、ＳＷ２をオフさせると共に第３及び第４のスイッチＳＷ３、ＳＷ４をオンさせて、高圧直流電源Ｂの電圧に応じたフライングキャパシタＣ１の充電電圧の計測の際や、負側の地絡抵抗ＲＬｎに応じたフライングキャパシタＣ１の充電電圧の計測の際と同じ計測回路を形成する。そして、制御部１５は、この計測回路を用いて、フライングキャパシタＣ１の充電電圧を計測する。
【００３２】
そして、計測が完了すると、制御部１５は、上述同様に放電回路を形成してフライングキャパシタＣ１を放電させる。
【００３３】
以上のようにして計測した、高圧直流電源Ｂの電圧に応じたフライングキャパシタＣ１の充電電圧、負側の地絡抵抗ＲＬｎに応じたフライングキャパシタＣ１の充電電圧、及び、正側の地絡抵抗ＲＬｐに応じたフライングキャパシタＣ１の充電電圧を用いて、所定の計測理論式の計算を行うことで、制御部１５は、正側の地絡抵抗ＲＬｐや負側の地絡抵抗ＲＬｎの値に基づいた高圧直流電源Ｂの地絡や絶縁状態を検出することができる。
【００３４】
つづいて図６〜８を参照して昇圧器３が動作している場合について説明する。
【００３５】
図６に示す第１の充電状態（昇圧器３動作時）の昇圧電源回路１では、まず、制御部１５は、第１及び第２スイッチＳＷ１、ＳＷ２をオンさせると共に第３及び第４のスイッチＳＷ３、ＳＷ４をオフさせる。これにより、昇圧器３の正極（２次側高圧正極）から、高圧選択回路２０（２次選択ダイオードＤ２２）、スイッチＳＷ１、ダイオードＤ０、第１の抵抗Ｒ１、フライングキャパシタＣ１の一端、他端、及び、第２のスイッチＳＷ２を経て、高圧直流電源Ｂの負極に至る充電回路が形成される。また、このとき、破線で示すように、図３で示した高圧直流電源Ｂによる充電回路が同時に形成される。
【００３６】
そして、昇圧器３による充電回路において、フライングキャパシタＣ１は昇圧器３の昇圧後の電圧に応じた電荷量を充電する。この充電により、フライングキャパシタＣ１の一端が正極、他端が負極となる。
【００３７】
つづいて、制御部１５は、第１及び第２スイッチＳＷ１、ＳＷ２をオフさせると共に第３及び第４のスイッチＳＷ３、ＳＷ４をオンさせて、上述した昇圧器３停止時と同様に、計測回路を形成させたうえで、充電電圧の計測を行う。そして、計測後は、上述した昇圧器３停止時と同様に、制御部１５は、放電回路を形成し、フライングキャパシタＣ１を放電させる。
【００３８】
つぎに、図７に示す第２の充電状態（昇圧器３動作時）の昇圧電源回路１になるように、制御部１５は、第１及び第４のスイッチＳＷ１、ＳＷ４をオンさせると共に第２及び第３のスイッチＳＷ２、ＳＷ３をオフさせる。これにより、昇圧器３の正極から、高圧選択回路２０（２次選択ダイオードＤ２２）、第１のスイッチＳＷ１、ダイオードＤ０、第１の抵抗Ｒ１、フライングキャパシタＣ１の一端、他端、第４のスイッチＳＷ４、第４の抵抗Ｒ４、（接地電位部）、及び、２次側の負側の地絡抵抗（２次側−地絡抵抗）ＲＬｎ２を経て、高圧直流電源Ｂの負極に至る充電回路を形成する。また、このとき、破線で示すように、図４で示した高圧直流電源Ｂによる充電回路が同時に形成される。
【００３９】
そして、この充電回路において、フライングキャパシタＣ１を２次側の負側の地絡抵抗（２次側−地絡抵抗）ＲＬｎ２に応じた電荷量で充電する。この充電により、フライングキャパシタＣ１の一端が正極、他端が負極となる。
【００４０】
つづいて、制御部１５は、第１及び第２スイッチＳＷ１、ＳＷ２をオフさせると共に第３及び第４のスイッチＳＷ３、ＳＷ４をオンさせて、上述した昇圧器３停止時と同様に、計測回路を形成させたうえで、充電電圧の計測を行う。そして、計測後は、上述した昇圧器３停止時と同様に、制御部１５は、放電回路を形成し、フライングキャパシタＣ１を放電させる。
【００４１】
つぎに、図８に示す第３の充電状態（昇圧器３動作時）の昇圧電源回路１になるように、制御部１５は、第２及び第３のスイッチＳＷ２、ＳＷ３をオンさせると共に第１及び第４のスイッチＳＷ１、ＳＷ４をオフさせる。これにより、昇圧器３の正極（２次側高圧正極）から、２次側の正側の地絡抵抗ＲＬｐ２、（接地電位部）、第３の抵抗Ｒ３、第３のスイッチＳＷ３、ダイオードＤ０、第１の抵抗Ｒ１、フライングキャパシタＣ１の一端、他端、及び、第２のスイッチＳＷ２を経て、高圧直流電源Ｂの負極に至る充電回路が形成される。そして、この充電回路において、フライングキャパシタＣ１を２次側の正側の地絡抵抗ＲＬｐ２に応じた電荷量で充電する。この充電により、フライングキャパシタＣ１の一端が正極、他端が負極となる。
【００４２】
つづいて、制御部１５は、第１及び第２スイッチＳＷ１、ＳＷ２をオフさせると共に第３及び第４のスイッチＳＷ３、ＳＷ４をオンさせて、上述した昇圧器３停止時と同様に、計測回路を形成させたうえで、充電電圧の計測を行う。そして、計測後は、上述した昇圧器３停止時と同様に、制御部１５は、放電回路を形成し、フライングキャパシタＣ１を放電させる。
【００４３】
以上のようにして計測した、昇圧器３による昇圧後の電圧に応じたフライングキャパシタＣ１の充電電圧、２次側の負側の地絡抵抗ＲＬｎ２に応じたフライングキャパシタＣ１の充電電圧、及び、２次側の正側の地絡抵抗ＲＬｐ２に応じたフライングキャパシタＣ１の充電電圧を用いて、所定の計測理論式の計算を行うことで、制御部１５は、２次側の正側の地絡抵抗ＲＬｐ２や２次側の負側の地絡抵抗ＲＬｎ２の値に基づいた昇圧器３の地絡や絶縁状態を検出することができる。
【００４４】
また、高圧選択回路２０が設けられていることで、昇圧器３が動作時において、昇圧された２次側の電圧及び地絡抵抗値によっては２次側からの異常な電位の回り込みが発生してしまうことが想定されるが、このような現象を防止できる。例えば、上述の特許文献２も同様の記載があるように、高圧選択回路２０が設けられない図９の構成の昇圧電源回路１００の場合、２次側の正側と負側の地絡抵抗ＲＬｐ２、ＲＬｎ２の分圧比に応じた電位ＶＲＬが、１次側の高圧直流電源Ｂの正電位を上回ると、２次側からの異常な電位の回り込みが発生する。しかし、高圧選択回路２０を構成する１次及び２次選択ダイオードＤ２１、Ｄ２２の整流方向が上流（１次側高圧正極側）から下流方向（地絡センサ１１内の第１のスイッチＳＷ１側）に設定されているので、上記のような異常な電位の回り込みは発生しない。
【００４５】
また、１次及び２次選択ダイオードＤ２１、Ｄ２２で構成される簡易的な高圧選択回路２０を追加するだけで、上記の機能及び効果を実現することができ、既存の回路を実質そのまま流用することができるため、現実の投資負担を非常に軽くすることができる。また、計測原理等も大きく変更することが無いため、制御プログラム等の開発負担も実質無く効果的な昇圧電源回路１（地絡センサ１１）を実現することができる。
【００４６】
以上、本発明を実施形態をもとに説明した。この実施形態は例示であり、それらの各構成要素及びその組合せにいろいろな変形例が可能なこと、またそうした変形例も本発明の範囲にあることは当業者に理解されるところである。
【００４７】
例えば、上述の実施形態では、高圧選択回路２０として、１次及び２次選択ダイオードＤ２１、Ｄ２２で構成される回路が用いられたがこれに限る趣旨ではない。例えば、図１０に示すように、１次及び２次選択ダイオードＤ２１、Ｄ２２に代わってそれぞれ１次及び２次選択スイッチＳＷ２１、ＳＷ２２が配置された構成の高圧選択回路２０ａが採用されてもよい。
【００４８】
この場合、１次及び２次選択スイッチＳＷ２１、ＳＷ２２は、制御部１５によって制御される。つまり、昇圧器３が停止時には１次選択スイッチＳＷ２１がオンに、２次選択スイッチＳＷ２２がオフに制御される。また、昇圧器３が動作時には１次選択スイッチＳＷ２１がオフに、２次選択スイッチＳＷ２２がオンに制御される。
【００４９】
このような構成を採用することで、目的・状況に応じて意図を持って高圧電圧選択が可能となる。このため、例えば、選択した側の高圧電圧計測値をセル電圧センサ２の計測値や昇圧器３が示す電圧値と比較することによって、１次側及び２次側のそれぞれの回路の故障検知が可能となる。また、高圧選択回路２０は、いずれか一方がダイオードで他方が制御部１５によって制御されるスイッチで構成されてもよい。また、高圧選択回路２０から昇圧器３の２次側正極へ回りこむことは想定されないため、昇圧電源回路１は、高圧選択回路２０の２次選択部である２次選択ダイオードＤ２２や２次選択スイッチＳＷ２２が設けられない構成であってもよい。
【符号の説明】
【００５０】
１、１００  昇圧電源回路
２  セル電圧センサ
３  昇圧器
１１  地絡センサ
１５  制御部
２０、２０ａ  高圧選択回路
３０  電流方向選択回路
Ｂ  高圧直流電源
Ｃ１  フライングキャパシタ
Ｄ０、Ｄ１  ダイオード
Ｄ２１  １次選択ダイオード
Ｄ２２  ２次選択ダイオード
Ｒ１〜Ｒ４  第１〜第４の抵抗
ＳＷ１〜ＳＷ５  第１〜第５のスイッチ
ＳＷ２１  １次選択スイッチ
ＳＷ２２  ２次選択スイッチ
【図１】
2015001423.tif 000003
【図２】
2015001423.tif 000004
【図３】
2015001423.tif 000005
【図４】
2015001423.tif 000006
【図５】
2015001423.tif 000007
【図６】
2015001423.tif 000008
【図７】
2015001423.tif 000009
【図８】
2015001423.tif 000010
【図９】
2015001423.tif 000011
【図１０】
2015001423.tif 000012